(57)【要約】      （修正有）【課題】手作業による作業効率の低いインキ装置の清掃作業を、生産性、作業効率の向上と溶剤、ウエスの資材の消費を抑え、洗浄によるコスト削減の自動洗浄装置を提供する。【解決手段】インキドクターブレード自動洗浄装置１においては、インキドクターブレード３に固着したインキ汚れを洗浄するためにエアーと共に微少量の溶剤を噴射、また回転式エアーノズルにてインキを掻き取る作用を利用しております。このエアーノズルを可変速にて移動させることにより、インキドクターブレード３全体において、汚れの度合いに応じて自動洗浄致します。また、ドクターブレード本体３を任意角度にて揺動させることによりインキドクターブレード３の複雑な形状の自動洗浄に対応しております。これにより、手作業での洗浄に比較し、洗浄時間の短縮、洗浄コストの削減、洗浄効果の向上を提供致します。【選択図】図２
2010094823.tif 000002
【特許請求の範囲】
【請求項１】
エアーガン移動用サーボモータを取付けた洗浄エアーガンスライド用アクチュエーター上の洗浄エアーガン取付ブラケットに、洗浄用溶剤タンク・溶剤圧送用ポンプを接続する配管・チューブの末端部に接続される洗浄用の溶剤ブラストエアーガンと、溶剤ブラストエアーガンの両側にエアーノズルが円筒中で回転するブラスターエアーガンを配置、これらの溶剤ブラストエアーガンとブラスターエアーガンからなる洗浄エアーガンは洗浄キャビネット内に配置され、それぞれの洗浄エアーガンには洗浄用エアー配管を接続、また、洗浄キャビネット内両端にはインキドクターブレード設置用ガイド、固定用ノブを配備し、この設置用ガイド、固定用ノブに設置、固定され、揺動用サーボモーターにより任意角度、任意速度にて回転させられる洗浄対象のインキドクターブレードを、先述の洗浄エアーガンより噴出される洗浄エアー及び微少量の洗浄用溶剤によって洗浄するインキドクターブレード自動洗浄装置。
【発明の詳細な説明】
【技術分野】
【０００１】
本発明は、輪転印刷機械におけるインキドクターブレードに付着したインキ汚れを自動洗浄する方法、及び機械に関するものである。
【背景技術】
【０００２】
従来の輪転機印刷機械メンテナンスにおいては、インキローラー洗浄後定期サイクルでインキドクターブレードを機外へ取り外し、手作業による残肉インキの掻き出しと溶剤を含めたウエス等による清掃作業を行っているのが現状である。
【発明の開示】
【発明が解決しようとする課題】
【０００３】
以上に述べた従来の手作業による洗浄方法では、手、衣類等が汚れる等、作業としては嫌悪されるものであり、労務負担による生産性と、作業効率の低下は避けられない。また、手作業による洗浄では、溶剤、ウエスの消費量も多く、洗浄によるコストも大きくなっている。
【０００４】
本発明ではこのような従来の手作業による洗浄方法が有していた問題を解決しようとするものであり、生産性、作業効率の向上と洗浄によるコスト削減を実現することを目的とするものである。
【課題を解決するための手段】
【０００５】
そして、上記目的を達成するため、本発明のインキドクターブレード自動洗浄装置においては、作業の効率化を図るため、複数本のインキドクターブレードを同時に洗浄するべく、インキドクターブレード１本に対して１セットの洗浄エアーガン機構を搭載し、インキドクターブレードをそれぞれ別の任意角度、任意速度にて揺動させ、インキドクターブレードに固着したインキ汚れを効率良く洗浄する機能を有しております。
【０００６】
洗浄エアーガン機構は、１次側エアー量の約１０倍のエアー量を噴射させ、そこに微少量の溶剤を滴下することにより、溶剤を共に噴射させ、インキ汚れを落とす作用を有する溶剤ブラストエアーガンと、その両側に配置された回転式エアーノズルで固着したインキを掻き取る作用を有するブラスターエアーガン２本より構成されます。
【０００７】
上述の洗浄エアーガン機構をインキドクターブレード１本に対して１セット配置、エアーガン移動用サーボモーターにて可変速で移動させることにより、インキドクターブレード全体において、汚れの度合いに応じて自動洗浄致します。
【０００８】
また、複数本のドクターブレード本体をそれぞれ別の任意角度、任意速度にて揺動させることによりブレード部、ドレンパン部内側、それぞれにエアー、溶剤を照射させることを可能とし、インキドクターブレードの複雑な形状の自動洗浄に対応しております。
【発明の効果】
【０００９】
上述したように本発明のインキドクターブレード自動洗浄装置においては、手作業での洗浄に比較し、洗浄時間の短縮、洗浄コストの削減、洗浄効果の向上を提供致します。
【発明を実施するための最良の形態】
【００１０】
以下、本発明の実施の形態を図１〜５に基づいて説明する。
【００１１】
図においては、１はインキドクターブレード洗浄装置本体であり、以降に述べる洗浄機構により構成されるものであります。
【００１２】
２は洗浄キャビネットで、２洗浄キャビネット両端に配置された６インキドクターブレード設置ガイドは本発明にて洗浄対象である３インキドクターブレードを設置し、７インキドクターブレード固定用ノブにて固定するものであります。８インキドクターブレード揺動用モーターは２洗浄キャビネット内に装置に設置された３インキドクターブレードを洗浄時に揺動するものであります。
【００１３】
４は１３エアー配管により供給される１次エアーの約１０倍量のエアーを噴出させ、そこに微少量の溶剤を滴下することにより、溶剤を共に噴射させ、インキ汚れを落とす作用を有する溶剤ブラストエアーガン、５は円筒中のノズルを回転させながらエアーを噴出することにより対象物にパルス状にエアーを照射しインキ汚れを掻き取る作用のあるブラスターエアーガンです。本装置では４溶剤ブラストエアーガン１本、５ブラスターエアーガン２本より構成される洗浄エアーガンを１セットとし、３インキドクターブレード１本に対して１セット、合計２セットの洗浄エアーガンを搭載しております。
【００１４】
上述の洗浄エアーガンは、洗浄時に９洗浄エアーガンスライド用サーボモータを駆動源として１０洗浄エアーガンスライド用アクチュエーター上を可変速度にて移動し、洗浄対象の３インキドクターブレード全体を洗浄するものであります。１３エアー配管により供給される洗浄エアーは洗浄エアーガンのスライドに対応し旋回可能な、１４のスイベルジョイントを利用した配管にて供給されます。
【００１５】
１１は洗浄用溶剤タンクで、チューブ配管にて接続された１２溶剤用ダイヤフラムポンプにて配管末端に接続される４溶剤ブラストエアーガンへと溶剤を供給し、溶剤ブラストエアーガンより噴出されるエアー中に混合され、洗浄対象物へ照射するものであります。
【００１６】
洗浄により発生するインキと溶剤が混合した廃液は１５廃液タンクへ貯留され、１６静電式センサーによる制御にて別付けのポンプ等にて排出されるものであります。
【００１７】
１７は開閉式の装置前面カバー、１８は装置背面カバーであり、洗浄によるエアー、溶剤、廃液の周囲への飛散を防止するものであります。
【００１８】
以上、上記構成の動作を説明する。２洗浄用キャビネット内両端に配置された６インキドクターブレード設置ガイドに３インキドクターブレードを設置し、６インキドクターブレード固定用ノブにて固定し、１７装置前面カバーを閉じます。
【００１９】
洗浄開始と同時に４溶剤ブラストエアーガン、５ブラスターエアーガンで構成される洗浄エアーガンに１３エアー配管、１４スイベルジョイントを利用したエアー配管よりエアーが供給されれます。このとき、４溶剤ブラストエアーガンには微少量の洗浄用溶剤が１１洗浄用溶剤タンクより１２溶剤用ダイヤフラムポンプにて供給されます。
【００２０】
洗浄動作１として、洗浄エアーガンが洗浄エアー、微少量の溶剤を噴射しながら９洗浄エアーガンスライド用サーボモーターの駆動により１０洗浄エアーガンスライド用アクチュエーター上を可変速度にて移動し、３インキドクターブレード全体に洗浄エアー、溶剤を照射します。
【００２１】
洗浄動作２として、８インキドクターブレード揺動用モーターにより３インキドクターブレードが任意角度、任意回転速度で揺動し、上述の洗浄エアー、溶剤がブレード部、ドレンパン部内側の各面に照射されるように動作します。
【００２２】
洗浄動作１と洗浄動作２の組み合わせにより、４溶剤ブラストエアーガンより噴射されるエアーと溶剤は３インキドクターブレードのブレード部、ドレンパン部に照射されます。この時、３インキドクターブレードは揺動しているため、照射された溶剤はエアーと共にドレンパン部を洗浄します。
【００２３】
同時に５ブラストエアーガンがノズルの回転によりパルス状に３インキドクターブレードのブレード部、ドレンパン部にエアーを照射しているため、固着したインキ汚れを掻き取るように洗浄します。
【００２４】
最後に、洗浄エアーガンよりエアーのみを照射するエアーブロー工程をおこない、３インキドクターブレードに噴射した溶剤および洗浄により飛散再付着した廃液をエアーブローにより吹飛ばします。
【００２５】
これらの洗浄動作により３インキドクターブレードの複雑な形状に対応して洗浄されるものであり、全体を汚れの度合いに応じて洗浄するものであります。
【００２６】
このインキドクターブレード洗浄装置では、洗浄エアーガン機構の組合せにより複数本のインキドクターブレードの洗浄を可能にするものであり、また、洗浄対象物の取付ノブを交換することにより、インキドクターブレード以外においても、洗浄を可能とするものであります。
【図面の簡単な説明】
【００２７】
【図１】本発明の実施形態を示すインキドクターブレード自動洗浄装置の上面外観図
【図２】同インキドクターブレード自動洗浄装置の正面外観図、断面図
【図３】同インキドクターブレード自動洗浄装置の図２におけるＡ−Ａ断面図
【図４】同インキドクターブレード自動洗浄装置の図２におけるＢ−Ｂ断面図
【図５】同インキドクターブレード自動洗浄装置の図２におけるＣ−Ｃ断面図
【符号の説明】
【００２８】
１  インキドクターブレード洗浄装置本体
２  洗浄キャビネット
３  インキドクターブレード
４  溶剤ブラストエアーガン
５  ブラスターエアーガン
６  インキドクターブレード設置ガイド
７  インキドクターブレード固定用ノブ
８  インキドクターブレード揺動用モーター
９  洗浄エアーガンスライド用モーター
１０洗浄エアーガンスライド用アクチュエーター
１１洗浄用溶剤タンク
１２溶剤用ダイアフラムポンプ
１３エアー配管
１４スイベルジョイント
１５廃液タンク
１６静電式センサー
１７装置前面カバー
１８装置背面カバー
【図１】
2010094823.tif 000003
【図２】
2010094823.tif 000004
【図３】
2010094823.tif 000005
【図４】
2010094823.tif 000006
【図５】
2010094823.tif 000007